(57)【要約】【課題】映写用スクリーンをゆるみやしわを生ずることなく緊張して平面状に張ることができると共に、６０型乃至３０型のスクリーンをＡ４サイズ程度に折り畳んで、小型カバンやケースに収納できる映写用スクリーン装置を提供する。また、軽量、簡単、安価に製作できる映写用スクリーン装置を提供する。【解決手段】バインダー類似の開閉板２０Ａと、開閉板２０Ａの両端に固着又は係着する伸縮性スクリーン１０Ａとを備えて、伸縮性スクリーン１０Ａを使用するときは、開閉板２０Ａを開いて固定し、使用しないときは、開閉板２０Ａを閉じて伸縮性スクリーン１０Ａを内部に折り込めるようにした映写用スクリーン装置。【選択図】        図１
2011257569.tif 000002
【特許請求の範囲】
【請求項１】
書類を綴じ込んで開閉する板状物からなるバインダーに類似する開閉板と、前記開閉板の両端に係着又は固着する伸縮性の布はく、ゴム・合成樹脂シート又はフィルム等からなる伸縮性スクリーンとを備えて、前記伸縮性スクリーンを使用するときは、前記開閉板を開いて前記伸縮性スクリーンを引き延ばして平面状に緊張させ、前記伸縮性スクリーンを使用しないときは、前記開閉板を閉じて、内部に前記伸縮性スクリーンを折り込めるようにしたことを特徴とした映写用スクリーン装置。
【請求項２】
前記伸縮性スクリーンが、両端に前記開閉板の表面側を囲繞するバックシート又はバック紐状物の両端をそれぞれ連結していることを特徴とした請求項１記載の映写用スクリーン装置。
【請求項３】
前記開閉板が、前記板状物の一方を折り曲げ基部から切目により分割し、前記板状物の他方を前記折り曲げ基部から折目により折り曲げ可能に形成して、折り畳み可能にしていることを特徴とした請求項１又は２記載の映写用スクリーン装置。
【請求項４】
前記開閉板が、前記板状物の一方及び前記板状物の他方の各裏面にそれぞれ面ファスナーを設け、これに着脱する１対の面ファスナーを止着板に設けて、前記開閉板を開くときは、前記各板状物の面ファスナーに前記止着板の各面ファスナーを止着し、前記開閉板を閉じるときは、前記止着板の各面ファスナーを前記各板状物の面ファスナーから離脱すると共に、前記板状物のいずれかの面ファスナーに前記止着板のいずれかの面ファスナーを着脱可能に取りつけることを特徴とした請求項１、２又は３記載の映写用スクリーン装置。
【請求項５】
前記開閉板が、前記板状物の一方及び前記板状物の他方の各裏面にそれぞれレールホルダーを設けると共に、前記板状物のいずれかの裏側に面ファスナーを取りつけ、これに着脱する面ファスナーをもつと共に、前記板状物のレールホルダーに両端を差し込める差込板を設けて、前記開閉板を開くときは、前記各板状物の前記レールホルダーに前記差込板の両端を差し込んで止着し、前記開閉板を閉じるときは、前記差込板を前記各板状物の前記レールホルダーから離脱すると共に、前記板状物の面ファスナーに前記差込板の面ファスナーを着脱可能に取りつけることを特徴とした請求項１、２、３又は４記載の映写用スクリーン装置。
【発明の詳細な説明】
【技術分野】
【０００１】
本発明は、伸縮性の映写用スクリーンを備えた映写用スクリーン装置に関する。
【背景技術】
【０００２】
従来の映写用スクリーン装置で、軽く、小型にでき、携帯に便利なものが、特開平０９−２３０５０５号公報等に示されているが、映写用スクリーンを卓上で手軽に使用できる６０型乃至３０型タイプでは、バインダー類似の開閉板形式では、小型カバンやケースに収納して小型軽量に携帯できるものは製作が困難であった。また、この種の映写用スクリーン装置は、書類を綴じ込むバインダー類似の開閉板を使用するので、従来のスクリーン材質のものは開閉板を大きく開いてもスクリーン映写面に僅少のゆるみやしわが生じ、写り出された映像が歪む欠点があった。
【先行技術文献】
【特許文献】
【０００３】
【特許文献１】特開平０９−２３０５０５号公報
【特許文献２】特開平０９−２３０５０３号公報
【特許文献３】特開平１０−４８７４９号公報
【特許文献４】特開２００３−１５２２６号公報
【発明の概要】
【発明が解決しようとする課題】
【０００４】
本発明は、映写用スクリーンを使用するときは、ゆるみやしわを生ずることなく平面状に緊張して張ることができるようにした映写用スクリーン装置を提供するものである。
また、本発明は、卓上で使用できる６０型乃至３０型タイプの映写用スクリーンをＡ４サイズ程度に折り畳んで、小型カバンやケースに収納できるようにした映写用スクリーン装置を提供するものである。
さらに、本発明は、軽量で簡単安価に製作できる映写用スクリーン装置を提供するものである。
【課題を解決するための手段】
【０００５】
本発明映写用スクリーン装置の請求項１の発明は、上記課題を達成するため、図示するように、書類を綴じ込んで開閉する板状物からなるバインダーに類似する開閉板と、前記開閉板の両端に係着又は固着する伸縮性の布はく、ゴム・合成樹脂シート又はフィルム等からなる伸縮性スクリーンとを備えて、前記伸縮性スクリーンを使用するときは、前記開閉板を開いて前記伸縮性スクリーンを引き延ばして平面状に緊張させ、前記伸縮性スクリーンを使用しないときは、前記開閉板を閉じて、内部に前記伸縮性スクリーンを折り込めるようにしたものである。
また、本発明映写用スクリーン装置の請求項２の発明は、上記課題を達成するため、図示するように、請求項１記載の発明において、前記伸縮性スクリーンが、両端に前記開閉板の表面側を囲繞するバックシート又はバック紐状物の両端をそれぞれ連結しているものである。
また、本発明映写用スクリーン装置の請求項３の発明は、上記課題を達成するため、図示するように、請求項１記載の発明において、前記開閉板が、前記板状物の一方を折り曲げ基部から切目により分割し、前記板状物の他方を前記折り曲げ基部から折目により折り曲げ可能に形成して、折り畳み可能にしているものである。
また、本発明映写用スクリーン装置の請求項４の発明は、上記課題を達成するため、図示するように、請求項１記載の発明において、前記開閉板が、前記板状物の一方及び前記板状物の他方の各裏面にそれぞれ面ファスナーを設け、これに着脱する１対の面ファスナーを止着板に設けて、前記開閉板を開くときは、前記各板状物の面ファスナーに前記止着板の各面ファスナーを止着し、前記開閉板を閉じるときは、前記止着板の各面ファスナーを前記各板状物の面ファスナーから離脱すると共に、前記板状物のいずれかの面ファスナーに前記止着板のいずれかの面ファスナーを着脱可能に取りつけるものである。
さらに、本発明映写用スクリーン装置の請求項５の発明は、上記課題を達成するため、図示するように、請求項１記載の発明において、前記開閉板が、前記板状物の一方及び前記板状物の他方の各裏面にそれぞれレールホルダーを設けると共に、前記板状物のいずれかの裏側に面ファスナーを取りつけ、これに着脱する面ファスナーをもつと共に、前記板状物のレールホルダーに両端を差し込める差込板を設けて、前記開閉板を開くときは、前記各板状物の前記レールホルダーに前記差込板の両端を差し込んで止着し、前記開閉板を閉じるときは、前記差込板を前記各板状物の前記レールホルダーから離脱すると共に、前記板状物の面ファスナーに前記差込板の面ファスナーを着脱可能に取りつけるものである。
本発明において、開閉板は、厚紙、合成樹脂板等の材質からなり、折り曲げ基部は、開閉できるようにしたコ字形、Ｌ字形等に形成される。
伸縮性スクリーンは、伸縮性布はく、伸縮性ゴムシート、合成樹脂シート又はフィルム等からなる。
バックシート又は紐状物は、伸縮性シート又は伸縮性フィルム又は伸縮性紐状物のほか伸縮性のないシート又はフィルム又は紐状物でもよい。
開閉板の板状物の切目は、バックシートがあるときは、その被覆により折目と同じ作用がえられ、また、バックシートがないときも切目に設けられた貼着テープにより折目と同様な作用が得られる。
面ファスナーは、ループ状の小突起を多数設けたものとフック状の小突起を多数設けたものとの面接触による止着を利用した公知のものである。
面ファスナーの代わりに公知の磁石板や鳩目ホック等を利用してもよい。
レールホルダーは、書類の側端に差し込んでスライドすることにより書類を押さえて保存又は差し替え可能にした公知の文具である。
【発明の効果】
【０００６】
本発明映写用スクリーン装置は、使用するときは、映写用スクリーンが引き延ばされて、たるみやしわを生ずることなく、平面状に緊張して拡大して張ることができ、また、使用しないときは、折目を発生することなく縮小して折り畳むことができる。
また、本発明映写用スクリーン装置は、映写用スクリーンを支持する開閉板も切目又は折目により小さく折り畳むことができるので、６０型乃至３０型タイプに対応する開閉板でも伸縮性スクリーンと共に小型カバンやケースに収納できる。
さらに、本発明品は、軽量で簡単構造かつ安価に製作できる。
【図面の簡単な説明】
【０００７】
【図１】本発明の実施例を示す斜視図である。
【図２】図１の伸縮性スクリーンをある程度引き延ばしたときの裏面からみた説明図である。
【図３】図１を折り畳んだときの斜視図である。
【図４】本発明の別の実施例を示す斜視図である。
【図５】図４の伸縮性スクリーンをある程度引き延ばしたときの裏面からみた説明図である。
【図６】図４を折り畳んだときの斜視図である。
【図７】本発明のさらに別の実施例を示す斜視図である。
【図８】図７の伸縮性スクリーンをある程度引き延ばしたときの正面からみた説明図である。
【図９】図７を折り畳んだときの斜視図である。
【発明を実施するための形態】
【０００８】
本発明映写用スクリーン装置を実施するための最良の形態が実施例１乃至実施例３に示されている。
【実施例１】
【０００９】
本発明映写用スクリーン装置の実施例１が図１乃至図３に示されている。本発明実施例の映写用スクリーン装置は、伸縮性スクリーン１０Ａと、開閉板２０Ａと、止着板３０Ａとからなる。
伸縮性スクリーン１０Ａは、伸縮性布はく製のもので、図２に示すように、両端にポケット１１１Ａ及び１１１Ａを縫着している。各ポケット１１１Ａの端部には紐状物１１０１Ａを設けてもよい。
開閉板２０Ａは、折り曲げ基部２１Ａから断面コ字状に１対の板状物２２Ａ及び２２Ａが形成され、各板状物２２Ａには２個の面ファスナー２２１１Ａが貼着されると共に、一方の板状物２２Ａには２つ折りできるように、折り曲げ基部２１Ａの折り曲げ線から側端２２１Ａまでの間に、切目２２０Ａが設けられ、折り返し可能に貼着テープ２２０１Ａが貼着されている。
他方の板状物２２Ａには、２つ折りできるように、折り曲げ基部２１Ａの折り曲げ線から側端２２１Ａまで折目２２２Ａが設けられている。
止着板３０Ａは、開閉板２０Ａを開いて、伸縮性スクリーン１０Ａを引き延ばして、たるみなく、しわなく平面状に張る位置において、開閉板２０Ａの各板状物２２Ａの裏面に設けられた面ファスナー２２１１Ａに当接して止着できるように、両側に面ファスナー３１Ａが２個づつ貼着されている。
次いで、開閉板２０Ａの各板状物２２Ａを開いて各側端２２１Ａに伸縮性スクリーン１０Ａの各ポケット１１１Ａを差し込んで係着し、場合によっては、バック紐状物１１０１Ａを開閉板２０Ａの表面側に囲繞するように各ポケット１１１Ａに連結すれば、繰り返し開閉板２０Ａの開閉にも係着できることになる。
従って、伸縮性スクリーン１０Ａを使用するときは、開閉板２０Ａの各板状物２２Ａを開いて、止着板３０Ａの両端の各面ファスナー３１Ａを各板状物２２Ａの各面ファスナー２２１１Ａに止着して、伸縮性スクリーン１０Ａを引き延ばして平面状に緊張させ、伸縮性スクリーン１０Ａを使用しないときは、止着板３０Ａの両端の各面ファスナー３１Ａを各板状物２２Ａの各面ファスナー２２１１Ａから離脱して、各板状物２２Ａを伸縮性スクリーン１０Ａを内部に折り込むように閉じると共に、切目２２０Ａ及び折目２２２Ａを介して２つ折りすれば小さく折り畳むことができる。
【実施例２】
【００１０】
本発明映写用スクリーン装置の実施例２が図４乃至図６に示されている。本発明実施例の映写用スクリーン装置は、伸縮性スクリーン１０Ｂと、開閉板２０Ｂと、止着板３０Ｂとからなる。
伸縮性スクリーン１０Ｂは、伸縮性合成樹脂フィルム製のもので、図５に示すように、伸縮性スクリーン１０Ｂとその両端に伸縮性バックシート１１Ｂの両端を固着すると共に、伸縮性スクリーン１０Ｂの両端にポケット部１１１Ｂを形成できるように固着している。
開閉板２０Ｂは、折り曲げ基部２１Ｂから断面Ｌ字状に１対の板状物２２Ｂ及び２２Ｂが形成され、各板状物２２Ｂにはそれぞれ断面Ｕ字状のレールホルダー２２１１Ｂが貼着されると共に、一方の板状物２２Ｂにはさらに面ファスナー２２１２Ｂが貼着されている。
差込板３０Ｂは、開閉板２０Ｂを開いて、伸縮性スクリーン１０Ｂを引き延ばして、たるみなく平面状に張る位置において、開閉板２０Ｂの各板状物２２Ｂの裏面に設けられたレールホルダー２２１１Ｂに両側端３１Ｂ、３１Ｂを差し込みできるようにすると共に、面ファスナー３２Ｂを貼着して板状物２２Ｂの面ファスナー２２１２Ｂと止着できるように形成している。
次いで、開閉板２０Ｂの各板状物２２Ｂを開いて各側端２２１Ｂに伸縮性スクリーン１０Ｂの各ポケット部１１１Ｂを差し込んで係着すると共に、開閉板２０Ｂの表面側に囲繞するようにバックシート１１Ｂを囲繞すれば、繰り返し開閉板２０Ｂの開閉にも脱離することなく係着できることになる。
従って、伸縮性スクリーン１０Ｂを使用するときは、開閉板２０Ｂの各板状物２２Ｂを開いて、差込板３０Ｂの両側端３１Ｂ、３１Ｂを各板状物２２の各レールホルダー２２１１Ｂに差し込んで止着すれば、伸縮性スクリーン１０Ｂを引き延ばして平面状に緊張させることができ、伸縮性スクリーン１０Ｂを使用しないときは、差込板３０Ｂの両側端３１Ｂ、３１Ｂを各板状物２２Ｂの各レールホルダー２２１１Ｂから剥離して、差込板３０Ｂの面ファスナー３２Ｂを一方の板状物２２Ｂの面ファスナー２２１２Ｂに止着すると共に、各板状物２２Ｂを伸縮性スクリーン１０Ｂを内部に折り込むように閉じると、小さく折り畳むことができる。
【実施例３】
【００１１】
本発明映写用スクリーン装置の実施例３が図７乃至図９に示されている。本発明実施例の映写用スクリーン装置は、伸縮性スクリーン１０Ｃと、開閉板２０Ｃと、止着板３０Ｃとからなる。
伸縮性スクリーン１０Ｃは、伸縮性布はく製のもので図８に示すように、伸縮性スクリーン１０Ｃとその両端に伸縮性バックシート１１Ｃの両端を縫着すると共に、伸縮性スクリーン１０Ｃの両端にポケット部１１１Ｃを形成できるように縫着している。
開閉板２０Ｃは、折り曲げ基部２１Ｃから断面コ字状に１対の板状物２２Ｃ及び２２Ｃが形成され、各板状物２２Ｃには２個の面ファスナー２２１１Ｃが貼着されると共に、一方の板状物２２には、さらに面ファスナー２２１２Ｃが貼着されている。
止着板３０Ｃは、開閉板２０Ｃを開いて、伸縮性スクリーン１０Ｃを引き延ばして、たるみなく平面状に張る位置において、開閉板２０Ｃの各板状物２２Ｃの裏面に設けられた面ファスナー２２１１Ｃに止着できるよう両側に面ファスナー３１Ｃが２個ずつ貼着されると共に、面ファスナー３２Ｃを貼着して板状物２２Ｃの面ファスナー２２１２Ｃと止着できるように形成している。
次いで、開閉板２０Ｃの各板状物２２Ｃを開いて各側端２２１Ｃに伸縮性スクリーン１０Ｃのバックシート１１Ｃの各ポケット部１１１Ｃを差し込んで止着すると共に、開閉板２０Ｃの表面側に囲繞するようにバックシート１１Ｃを開閉板２０Ｃの表側に囲繞する。
従って、伸縮性スクリーン１０Ｃを使用するときは、開閉板２０Ｃの各板状物２２Ｃを開いて、止着板３０Ｃの両端の面ファスナー３１Ｃを各板状物２２の各面ファスナー２２１１Ｃに当接して止着すれば、伸縮性スクリーン１０Ｃを引き延ばして平面状に緊張させることができ、伸縮性スクリーン１０Ｃを使用しないときは、止着板３０Ｃの各面ファスナー３１Ｃを各板状物２２Ｃの各面ファスナー２２１１Ｃから剥離して、各板状物２２Ｃを伸縮性スクリーン１０Ｃを内部に折り込むように閉じ、切目２２１Ｃ及び折目２２０Ｃを折り込めば小さく折り畳むことができる。
【産業上の利用可能性】
【００１２】
本発明品は、小型、軽量、折り畳み可能で量産できる。
【符号の説明】
【００１３】
１０Ａ、１０Ｂ、１０Ｃ        伸縮性スクリーン
１１Ａ、１１Ｂ、１１Ｃ        バックシート
２０Ａ、２０Ｂ、２０Ｃ        開閉板
２１Ａ、２１Ｂ、２１Ｃ        開閉板の折り曲げ基部
２２Ａ、２２Ｂ、２２Ｃ        板状物
２２０Ａ、２２０Ｃ            切目
２２１１Ａ、２２１１Ｃ        面ファスナー
２２１１Ｂ                    レールホルダー
２２２Ａ、２２２Ｃ            折目
３０Ａ、３０Ｃ                止着板
３０Ｂ                        差込板
３１Ａ、３１Ｃ                止着板の面ファスナー
【図１】
2011257569.tif 000003
【図２】
2011257569.tif 000004
【図３】
2011257569.tif 000005
【図４】
2011257569.tif 000006
【図５】
2011257569.tif 000007
【図６】
2011257569.tif 000008
【図７】
2011257569.tif 000009
【図８】
2011257569.tif 000010
【図９】
2011257569.tif 000011